(57)【要約】【課題】吸収層を備えた後方フラップを有する吸収性物品において、該吸収層に吸収された体液が後方フラップの周縁部から漏れ出しにくい吸収性物品を提供すること。【解決手段】本体吸収層（２１、２３）及び本体防漏層２２を備えた実質的に縦長の吸収性本体２と、吸収性本体２における少なくとも後方部の両側部それぞれから幅方向外方に延出する一対の後方フラップ３とを有する吸収性物品１であって、後方フラップ３は、フラップ表面シート３１、フラップ裏面シート３２及びこれらの間に介在するフラップ吸収体３３を備えており、フラップ裏面シート３２は、フラップ吸収体３３に向けて突出する多数の隆起部を有する上層シートと、通気性を有する下層シートとの２層構造である。【選択図】図２
2008119048.tif 000002
【特許請求の範囲】
【請求項１】
本体吸収層及び本体防漏層を備えた実質的に縦長の吸収性本体と、該吸収性本体における少なくとも後方部の両側部それぞれから幅方向外方に延出する一対の後方フラップとを有する吸収性物品であって、
前記後方フラップは、フラップ表面シート、フラップ裏面シート及びこれらの間に介在するフラップ吸収体を備えており、
前記フラップ裏面シートは、前記フラップ吸収体に向けて突出する多数の隆起部を有する上層シートと、通気性を有する下層シートとの２層構造である吸収性物品。
【請求項２】
前記上層シートの前記隆起部は、開孔部を有している請求項１記載の吸収性物品。
【請求項３】
前記上層シートは、前記開孔部において前記フラップ吸収体と接している請求項２記載の吸収性物品。
【請求項４】
前記フラップ表面シートは、フィルム材料からなり、前記フラップ吸収体に向けて突出する多数の突出開孔、及び該突出開孔よりも開孔面積が小さい多数の微小開孔を有している請求項１ないし３の何れかに記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
生理用ナプキン等の吸収性物品には、吸収層及び防漏層を備えた吸収性本体と、該吸収性本体の両側部それぞれから幅方向外方に延出する一対の後方フラップとを有するものがある。後方フラップとは、吸収性本体から延出した状態で折り返されることなくショーツ等の下着に装着されて用いられるもので、下着のクロッチ部の外面側に折り返されて用いられるウイング部とは異なるものである。
また、後方フラップを有する生理用ナプキンにおいて、後方フラップに吸収層（以下「フラップ吸収層」という）を設け、吸収性本体から溢れた体液を後方フラップにおいて吸収できるようにして、生理用ナプキン全体としての防漏性を向上させる技術が知られている（例えば、下記特許文献１参照）。
【０００３】
【特許文献１】特開２０００−１８９４５９号公報
【発明の開示】
【発明が解決しようとする課題】
【０００４】
しかし、特許文献１記載の生理用ナプキンにおいては、フラップ吸収層とフラップ防漏層（後方フラップの下面を形成する防漏層）との界面の空間の大きさは極めて小さくなっている。そのため、後方フラップにおいて、フラップ吸収層に吸収された体液は、厚み方向に移動した後、毛管力により、フラップ吸収層とフラップ防漏層との界面の空間を過度に拡散しやすく、これに起因してフラップ吸収層に一旦吸収された体液が後方フラップの周縁部から漏れ出しやすい。このような現象は、フラップ吸収層の液拡散性が低い場合に特に顕著に発生する。
【０００５】
従って、本発明の目的は、吸収層を備えた後方フラップを有する吸収性物品において、該吸収層に吸収された体液が後方フラップの周縁部から漏れ出しにくい吸収性物品を提供することにある。
【課題を解決するための手段】
【０００６】
本発明は、本体吸収層及び本体防漏層を備えた実質的に縦長の吸収性本体と、該吸収性本体における少なくとも後方部の両側部それぞれから幅方向外方に延出する一対の後方フラップとを有する吸収性物品であって、前記後方フラップは、フラップ表面シート、フラップ裏面シート及びこれらの間に介在するフラップ吸収体を備えており、前記フラップ裏面シートは、前記フラップ吸収体に向けて突出する多数の隆起部を有する上層シートと、通気性を有する下層シートとの２層構造である吸収性物品を提供することにより、上記目的を達成したものである。
【発明の効果】
【０００７】
本発明の吸収性物品によれば、後部フラップの吸収層に吸収された体液が後方フラップの周縁部から漏れ出しにくい。
【発明を実施するための最良の形態】
【０００８】
以下、本発明の吸収性物品について、その好ましい一実施形態に基づき図面を参照しながら説明する。
本実施形態の吸収性物品は、生理用ナプキン１であり、図１〜図３に示すように、本体吸収層（２１，２３）及び本体防漏層２２を備えた実質的に縦長の吸収性本体２と、吸収性本体２における少なくとも後方部Ｂの両側部それぞれから幅方向外方に延出する一対の後方フラップ３，３と、吸収性本体２における前方部Ａの両側部それぞれから幅方向外方に延出する一対のウイング部４，４とを有している。
前記後方フラップ３は、フラップ表面シート３１、フラップ裏面シート３２及びこれらの間に介在するフラップ吸収体３３を備えており、前記フラップ裏面シート３２は、前記フラップ吸収体３３に向けて突出する多数の隆起部３２ｃを有する上層シート３２ａと、通気性を有する下層シート３２ｂとの２層構造である。
【０００９】
本実施形態の生理用ナプキン１について更に説明する。尚、本実施形態において、「前方部Ａ」とは、使用時において着用者の前方側に位置する部分を意味し、具体的には、吸収性本体２の長手方向中央部よりも前側に位置する部分である。また、「後方部Ｂ」とは、使用時において着用者の後方側に位置する部分を意味し、具体的には、吸収性本体２の長手方向中央部よりも後側に位置する部分である。「少なくとも後方部Ｂ」とは、後方フラップ３の一部が前方部Ａから延出している形態を含む意味である。
【００１０】
また、特に明記のない限り、「長手方向」とは、吸収性物品（吸収性本体２）の長手方向に沿う方向であり、「幅方向」とは、吸収性物品（吸収性本体２）の幅方向に沿う方向である。また、「上面」及び「下面」とは、それぞれ展開状態における上面及び下面のことである。
【００１１】
吸収性本体２は、図２及び図３に示すように、本体吸収層（２１，２３）及び本体防漏層２２を備えている。本体吸収層（２１，２３）は、液透過性の本体表面シート２１及び液保持性の本体吸収体２３からなる。本体防漏層２２は、液不透過性又は撥水性の本体裏面シートからなる。本体表面シート２１は、本体吸収体２３の上面全域を被覆している。本体裏面シート２２は、本体吸収体２３の下面全域を被覆している。
このように、吸収性本体２は、本体表面シート２１、本体吸収体２３及び本体裏面シート２２の順で積層した積層体からなる。
【００１２】
本体吸収体２３は、上層本体吸収体２３ａと下層本体吸収体２３ｂとの積層体からなる。上層本体吸収体２３ａは、平面視で下層本体吸収体２３ｂよりも長さ及び幅が短くなっている。また、上層本体吸収体２３ａは、下層本体吸収体２３ｂとは接合されていない。上層本体吸収体２３ａは、下層本体吸収体２３ｂにおける長手方向及び幅方向の中央寄りに位置しており、延いては吸収性本体２における長手方向及び幅方向の中央寄りに位置している。即ち、上層本体吸収体２３ａは、吸収性本体２における排泄部と当接する部位において下層本体吸収体２３ｂよりも幅狭な中高領域を形成している。このように排泄部近傍において中高領域が形成されその周囲に溝が設けられているため、本実施形態においては、生理用ナプキン１の装着時に装着者の股下部の前後方向の曲線形状にフィットし易くなり、後方フラップ３による防漏効果が向上する。
【００１３】
上層本体吸収体２３ａの周囲には、図１に示すように、本体表面シート２１と下層本体吸収体２３ｂとが一体的に圧密化されて形成された中央溝Ｄ１が設けられている。中央溝Ｄ１は、高い圧搾により深く凹んだ部分と低い圧搾により浅く凹んだ部分とからなる段構造を有している。中央溝Ｄ１が上層本体吸収体２３ａを包囲するように設けられていることによって、上層本体吸収体２３ａの型崩れ防止、ヨレ防止及び液拡散防止の各効果が奏される。尚、中央溝Ｄ１は、上層本体吸収体２３ａの全周に亘って設けられていることが好ましいが、上層本体吸収体２３ａの周囲を部分的に包囲するように、例えば、幅方向両側部のみに沿うように設けられていてもよい。
【００１４】
吸収性本体２の前方部Ａ及び後方部Ｂにおいては、本体表面シート２１と下層本体吸収体２３ｂとが一体的に圧密化されて形成された前方溝Ｄ２及び後方溝Ｄ３が設けられている。前方溝Ｄ２及び後方溝Ｄ２は、略半円弧状であり、中央溝Ｄ１の前部及び後部よりもそれぞれ前方側及び後方側に中央溝Ｄ１と連続的に設けられている。
【００１５】
次に本実施形態の後方フラップ３について説明する。後方フラップ３は、図１に示すように、吸収性本体２から延出した状態で折り返されることなくショーツ等の下着に装着されて用いられるものである。ただし、後方フラップ３は、生理用ナプキンの個装形態等においてコンパクトにするために吸収性本体２の上面側又は下面側に折り返してもよい。
【００１６】
後方フラップ３を有する生理用ナプキン１の長さは、２６ｃｍ以上、好ましくは３０ｃｍ以上である。後方フラップ３の（片側の）幅（生理用ナプキンの幅方向に沿う幅）は、１ｃｍ以上、好ましくは３ｃｍ以上である。後方フラップ３の幅は、個装形態から生理用ナプキンを取り出す際の取り扱い易さや生理用ナプキンの装着し易さの観点から、吸収性本体２の幅よりも短い方が好ましい。本実施形態における後方フラップ３は、後方部Ｂに配されており、前方部Ａから後方部Ｂに向けて幅が拡がる形状を有している。
【００１７】
後方フラップ３は、図２に示すように、フラップ吸収層（３１，３３）及びフラップ防漏層３２を備えている。フラップ吸収層（３１，３３）は、液透過性のフラップ表面シート３１及び液保持性のフラップ吸収体３３からなる。フラップ吸収体３３は、平面視で、後方フラップ３を一回り小さくした形状を有している。フラップ表面シート３１は、フラップ吸収体３３の上面全域を被覆している。
フラップ防漏層３２は、フラップ裏面シート３２からなる。フラップ裏面シート３２は、フラップ吸収体３３の下面全域を被覆している。
このように、後方フラップ３は、フラップ表面シート３１、フラップ吸収体３３及びフラップ裏面シート３２の順で積層した積層体からなる。
【００１８】
ウイング部４は、下着のクロッチ部の外面側に折り返されて用いられるもので、その位置、平面視形状等が異なる以外は、後方フラップ３と同様の構成を有している。本実施形態におけるウイング部４は、図１に示すように、下底（上底よりも長い辺）が吸収性本体２の側部側に位置する略台形形状を有している。
具体的には、ウイング部４は、図３に示すように、液透過性のウイング表面シート４１、液保持性のウイング吸収体４３及び液不透過性又は撥水性のウイング裏面シート４２の順で積層した積層体からなる。ウイング吸収体４３は、平面視で、ウイング部４を一回り小さくした形状を有している。ウイング表面シート４１は、ウイング吸収体４３の上面全域を被覆している。ウイング裏面シート４２は、ウイング吸収体４３の下面全域を被覆している。
このように、ウイング部４は、ウイング表面シート４１、ウイング吸収体４３及びウイング裏面シート４２の順で積層した積層体からなる。
【００１９】
吸収性本体２、後方フラップ３及びウイング部４を構成する前記各部材は、それぞれ別体で構成することもできるが、複数の部材を一体的に構成することもできる。
本実施形態においては、図２及び図３に示すように、本体表面シート２１、一対のフラップ表面シート３１，３１及び一対のウイング表面シート４１，４１は、一つの一体表面シート１１から形成されている。また、本体裏面シート２２、一対のフラップ裏面シート３２，３２及び一対のウイング裏面シート４２，４２は、一つの一体裏面シート１２から形成されている。
【００２０】
また、下層本体吸収体２３ｂ、一対のフラップ吸収体３３，３３及び一対のウイング吸収体４３，４３は、一つの一体吸収体１３から形成され、一体化している（直接的な一体化）。尚、上層本体吸収体２３ａと一体吸収体１３とは、別体となっている。一体吸収体１３は、それぞれ別体の下層本体吸収体２３ｂ、フラップ吸収体３３及びウイング吸収体４３を、一部重ね合わせることにより形成することもできる（間接的な一体化）。
【００２１】
別の見方をすると、フラップ吸収体３３及びウイング吸収体４３は、吸収性本体２に亘って延在し、本体吸収体２３の一部（下層本体吸収体２３ｂ）と直接的あるいは間接的に一体化している。
フラップ吸収体３３が吸収性本体２に亘って延在し、本体吸収体２３の一部と一体化していると好ましい理由は、次の通りである。フラップ吸収体３３においては、体液は、本体吸収体２３を介して間接的に又は直接的に、フラップ吸収体３３における吸収性本体２近傍の領域に吸収される場合が多い。そのような場合においても、フラップ吸収体３３と一体化している本体吸収体２３の存在により、フラップ吸収体３３における吸収性本体２近傍の領域に吸収された体液は、吸収ポイントから同心円状に徐々に拡散することができるため、後方フラップ３の周縁部から漏れ出しにくい。
【００２２】
尚、フラップ吸収体３３と本体吸収体２３とが一体化されておらず、それぞれ独立（分離）している場合には、フラップ吸収体３３が吸収性本体２による液の拡散の影響を受けにくい。
【００２３】
一体表面シート１１は、本体吸収体２３及び一体吸収体１３の集合体（２３，１３）の上面全域を被覆している。一体表面シート１１の周縁部は、集合体（２３，１３）の周縁部から延出している。
また、一体裏面シート１２は、一体吸収体１３の下面全域を被覆している。一体裏面シート１２の周縁部は、一体吸収体１３の周縁部から延出している。
そして、集合体（２３，１３）の周縁部から延出している、一体表面シート１１の周縁部と一体裏面シート１２の周縁部とは、ヒートシール、ホットメルト接着剤等により接合されている。別の見方をすると、フラップ表面シート３１とフラップ裏面シート３２とは、フラップ吸収体３３の周縁部の外方において接合されている。同様に、ウイング表面シート４１とウイング裏面シート４２とは、ウイング吸収体４３の周縁部の外方において接合されている。
【００２４】
吸収性本体２と後方フラップ３との境界においては、図１及び図２に示すように、一体表面シート１１と一体吸収体１３とを圧縮接合する一対の圧縮シール線５，５が長手方向に延びるように設けられている。このように圧縮シール線５を設けることによって、圧縮シール線５がその幅方向内方において一体吸収体１３の一部（下層本体吸収体２３ｂ）へ液を導く導液効果を有するため、圧縮シール線５の幅方向外方、即ち後方フラップ３において液拡散防止効果を有する。また、圧縮シール線５の設けられている後方部Ｂにおいて可撓性が向上し、後方部Ｂにおける液漏れ防止効果が得られる。尚、圧縮シール線５の幅方向外方において、一体表面シート１１の一部（フラップ表面シート３１）と一体吸収体１３の一部（フラップ吸収体３３）とが接着剤等により接合されていない場合には、後方フラップ３のフィット性が増すと共に、液拡散防止効果が向上する。
【００２５】
後方フラップ３において、フラップ防漏層３２はフラップ吸収体３３に接合されている。この接合には、例えばホットメルト接着剤が用いられる。接着剤の塗工形状は、特に制限されず、例えば、面状（いわゆるべた塗り）、スパイラル状、長手方向又は幅方向に延びるストライプ状、Ω状、ドット状である。
【００２６】
吸収性本体２において、本体裏面シート２２は本体吸収体２３に接合されている。この接合には、例えばホットメルト接着剤が用いられる。接着剤の塗工形状は、特に制限されず、例えば、面状（いわゆるべた塗り）、スパイラル状、長手方向又は幅方向に延びるストライプ状、Ω状、ドット状である。本実施形態においては、本体裏面シート２２と本体吸収体２３とは、本体裏面シート２２に塗工された接着剤により非連続的に接合されている。
【００２７】
吸収性本体２、後方フラップ３及びウイング部４の下面には、即ち、一体裏面シート１２の下面の所定位置には、ズレ止め材として、それぞれ本体粘着部、フラップ粘着部及びウイング粘着部（何れも図示せず）が設けられている。
【００２８】
本実施形態の後方フラップ３について更に詳述すると、フラップ裏面シート（フラップ防漏層）３２は、図４に示すように、上層シート３２ａ及び下層シート３２ｂの２層構造を有している。
上層シート３２ａは、フラップ吸収体３３に向けて突出する隆起部３２ｃを多数有している。このような上層シートに３２ａによれば、図４に示すように、隆起部３２ｃによって、上層シート３２ａにおける隆起部３２ｃが設けられていない領域３２ｄとフラップ吸収体３３とが離間する。そして、上層シート３２ａの下面（非肌当接面側）は下層シート３２ｂによって被覆されている。その結果、フラップ吸収体３３と下層シート３２ｂとの間に適度な空間が形成される。
【００２９】
本実施形態においては、隆起部３２ｃは、その上端に開孔部３２ｅが設けられている。即ち、上層シート３２ａにおいて、フラップ吸収体３３に向けて突出する隆起部３２ｃは、突出開孔となっている。そして、開孔部３２ｅにおいて上層シート３２ａとフラップ吸収体３３とは接している。突出開孔は、その上端部全体がフラップ吸収体３３に当接し得る形状（高さが一定の形状）を有していることが好ましい。このような形状を有することで、フラップ吸収体３３と下層シート３２ｂとの間に形成される空間を安定的に保つことができる。
【００３０】
隆起部３２ｃを有する上層シート３２ａ全体の厚みは、０．５ｇｆ／ｃｍ2加重下において、好ましくは０．１〜１．０ｍｍ、更に好ましくは０．３〜０．７ｍｍである。この厚みの測定は、ＫＥＳ−Ｇ５（カトーテック株式会社製）により行われる。
隣接する隆起部３２ｃの間の平面方向距離は、好ましくは０．２〜２ｍｍ、更に好ましくは０．５〜１．５ｍｍである。
開孔部３２ｅの開孔形状に特に制限はなく、例えば円形、楕円形等が挙げられる。開孔部３２ｅの開孔面積は、フラップ吸収体３３と下層シート３２ｂとの間の空間を安定的に形成し、フラップ吸収体３３から上層シート３２ａと下層シート３２ｂとの間に多量の液が染み出さないようにする観点から、０．０１〜０．５ｍｍ2であることが好ましく、０．０５〜０．３ｍｍ2であることが更に好ましい。
【００３１】
上層シート３２ａとしては、不織布やフィルム材料のような従来から公知の材料を用いることができるが、隆起部３２ｃを安定的に形成できる点で、フィルム材料から形成されていることが好ましい。
下層シート３２ｂとしては、通気性を有するシートが用いられる。このようなシートとしては、通気性を有する熱可塑性樹脂のフィルム、ＳＭＳ不織布等が挙げられる。
【００３２】
隆起部３２ｃの上端に開孔部３２ｅを有する上層シート３２ａは、例えば、開孔部３２ｅの形状に対応した形状を有する突起が所定の配置パターンで形成された雄型と、弾性受け板との間で、平坦なフィルムを加熱下に押圧することにより製造することができる。
また、開孔部３２ｅの形状に対応した配置パターンの孔形状を有する吸引ネットを備えたロール又はコンベア上において、熱可塑性フィルムを加熱下に吸引することにより製造することができる。
【００３３】
前述のフラップ裏面シート３２の各種物性に関する説明は、ウイング裏面シート４２の各種物性にも適宜適用される。
【００３４】
次に、本実施形態におけるフラップ表面シート３１について説明する。フラップ表面シート３１は、図４及び図５に示すように、フラップ吸収体３３に向けて突出する多数の突出開孔３１ａを有している。隣接する突出開孔３１ａの間は、頂部３１ｂを有するように上面側に向けて凸状に湾曲し、フラップ凸部６を形成している。また、フラップ凸部６には、図５に示すように、突出開孔３１ａよりも開孔面積が小さい微小開孔３１ｇが多数設けられている。尚、図４及び図６においては微小開孔３１ｇの図示は省略している。そして、複数の頂部３１ｂは、図６に示すように、略直線的に連なって畝部３１ｅが多列に形成されている。隣接する畝部３１ｅの間は畝間部３１ｆとなり、畝部３１ｅと畝間部３１ｆとは平面部を有しないように交互に配列されている。即ち、畝部３１ｅには、多数の微小開孔３１ｇが形成されており、畝間部３１ｆには、多数の突出開孔３１ａが形成されている。畝部３１ｅ及び畝間部３１ｆによって形成されている波状構造は、吸収性本体２の長手方向に向けて０〜３０°傾斜して延びている。このようなフラップ表面シート３１によれば、図５に示すように、突出開孔３１ａによって、フラップ表面シート３１におけるフラップ凸部６とフラップ吸収体３３とが離間し、フラップ表面シート３１の下面（非肌当接面側）において、隣接する突出開孔３１ａの間に液を一時的に保持することが可能な空間（以下「ストック空間」ともいう）３４が形成される。
【００３５】
突出開孔３１ａは、その下端部全体がフラップ吸収体３３に当接し得る形状（高さが一定の形状）を有していてもよいが、液をストック空間３４に導き易くするために、図５に示すように、フラップ吸収体３３に当接する部位３１ｃと、吸収単位３４に向けて開いた部位３１ｄとを有することが好ましい。突出開孔３１ａが、フラップ吸収体３３に接する部位３１ｃを有することによって、液がストック空間３４に入り込み易くなると共に、ストック空間３４に向けて開いた部位３１ｄを有することによって液の移動量を多くすることができ、ドライ感を高めることができる。
【００３６】
フラップ吸収体３３に全く当接しない突出開孔３１ａが、突出開孔３１ａの全数のうち、好ましくは５０％以上、更に好ましくは７０％以上、特に好ましくは９０％以上存在していれば、前記開いた部位３１ｄの有無に拘わらず、同様の効果が奏される。尚、この形態において、前記開いた部位３１ｄを有していてもよい。
【００３７】
突出開孔３１ａを有するフラップ表面シート３１全体の厚みは、０．５ｇｆ／ｃｍ2加重下において、好ましくは０．２〜１．０ｍｍ、更に好ましくは０．３〜０．７ｍｍである。
隣接する突出開孔３１ａの間の平面方向距離は、好ましくは０．５〜５ｍｍである。隣接する３個の突出開孔３１ａによって囲まれる領域の面積は、ストック空間３４に液を保持しやすい点から、０．１〜１０ｍｍ2であることが好ましい。
【００３８】
突出開孔３１ａの開孔形状に特に制限はなく、例えば楕円形、三角形、四角形の開孔でもよいが、フラップ表面シート３１のソフト感を向上させ得る点から、円形又は楕円形が好ましい。
突出開孔３１ａの開孔面積は、突出開孔３１ａの安定維持性及び液の透過性の向上の点から、０．１〜１０ｍｍ2であることが好ましく、０．２〜５ｍｍ2であることが更に好ましい。また、液の透過性を向上させる点から、フラップ表面シート３１の開孔率は、３〜３０％であることが好ましく、５〜１５％であることが更に好ましい。開孔率は、フラップ表面シート３１をその上面（外面）側から下面（内面）側に投影した場合における突出開孔３１ａの開孔面積を、フラップ表面シート３１の面積で除すことによって求められる。
【００３９】
微小開孔３１ｇの開孔面積は、フラップ表面シート３１のソフト感を向上させることができる点から、０．０１〜０．１ｍｍ2であることが好ましく、０．０２〜０．０７ｍｍ2であることが更に好ましい。微小開孔３１ｇの密度（単位面積当たりの個数）は、好ましくは２０〜２００個／ｃｍ2、更に好ましくは５０〜１００個／ｃｍ2である。
【００４０】
隣接する畝部３１ｅ間の距離（即ち、頂部３１ｂ間の距離）は、好ましくは０．２〜５ｍｍであり、更に好ましくは０．５〜３ｍｍである。隣接する畝間部３１ｆ間の距離も同様に、好ましくは０．２〜５ｍｍであり、更に好ましくは０．５〜３ｍｍである。
【００４１】
フラップ表面シート３１としては、不織布やフィルム材料のような従来から公知の材料を用いることができるが、ストック空間３４が安定して存在し易い点から、フィルム材料から形成されていることが好ましい。
【００４２】
突出開孔３１ａ及び微小開孔３１ｇを有するフラップ表面シート３１は、例えば、特開昭６２−５７９７５号公報に記載の方法で製造することができる。
【００４３】
次にフラップ吸収体３３について説明する。本実施形態において、フラップ吸収体３３は、着用者の身体の湾曲形状に対する適合性、着用者の身体の動きに対する追従性等を考慮すると、比較的薄いシート状に形成されていることが好ましく、着用者の肌への刺激性を低くするため（ドライ感を高めるため）、液保持性が高いことがより好ましい。フラップ吸収体３３の材料の具体例としては、パルプを積繊し、バインダーで固定した乾式パルプシート〔商品名「ＪＳ−５０ＨＢ」ハビックス（株）製等〕や、湿式吸収紙にエンボス加工したエンボス吸収紙等が挙げられる。本実施形態においては、フラップ吸収体３３は、乾式パルプシートにより構成されている。
【００４４】
フラップ吸収体３３の密度は、好ましくは０．０１ｇ／ｍｍ3、更に好ましくは０．０３ｇ／ｍｍ3である。
また、フラップ吸収体３３の密度は、これに延在している本体吸収体（本実施形態においては、下層本体吸収体２３ｂ）の密度よりも高いことが好ましく、０．０５〜０．２ｇ／ｃｍ3程度高いことが更に好ましい。
フラップ吸収体３３の密度をこれと一体化している本体吸収体の密度よりも高くする方法としては、例えば、後方フラップ３のみをロール間において熱及び圧力を加える方法や、フラップ表面シート３１とフラップ吸収体３３とを熱エンボス加工等により接合する方法がある。
フラップ吸収体３３の密度がこれと一体化している本体吸収体の密度よりも高くなっていると、フラップ吸収体３３に吸収された体液が、これと一体化している本体吸収体に戻りにくい点で好ましい。
【００４５】
フラップ吸収体３３においては、ヨレ防止及び装着感向上の観点から、座屈強度が２０〜５００ｇであることが好ましく、５０〜３００ｇであることが更に好ましい。座屈強度を２０ｇ以上とすることにより、後方フラップ３がヨレにくくなり、一方、座屈強度を５００ｇ以下とすることにより、後方フラップ３の全体が固くなり過ぎることを防止して、装着時に違和感を感じないようにすることができる。
【００４６】
前記座屈強度は、下記の〔座屈強度の測定方法〕に従って測定した値である。
〔座屈強度の測定方法〕
測定は、２０℃、６５％ＲＨ下において、１日以上放置した吸収体を用いて、この温度及び湿度条件下にて行う。
【００４７】
詳細には、吸収体を縦１５０ｍｍ×横３０ｍｍに切り出し、これを試料とする。この試料の長手方向端部を、その重ね合わせ部分の幅が５ｍｍとなるように重ね合わせ、輪状とする。その後、上下各１ｃｍの部分を、ステープラーにより針の長さ方向が圧縮方向と直角の方向となるように２箇所固定し、リング状のサンプルを得る。得られたリング状のサンプルを、テンシロン試験機〔商品名ＲＴＣ―１２１０Ａ〕（株）オリエンテック製〕の試料台に、試料の長手方向を下面にして設置する。設置後、圧縮試験モードにて測定速度１０ｍｍ／ｍｉｎで試料を圧縮し、座屈したときの最大強度を求める。別に作成した５つのサンプルについて同様に測定を行い、平均を求めて、座屈強度とする。
【００４８】
フラップ吸収体３３及びウイング吸収体４３は、本体吸収体２３から溢れた体液を吸収する補足的なもので、液吸収時の拡散性が低いものが好ましい。具体的には、１ｇの生理食塩水を吸収体の約１ｃｍ上方から滴下した後、１分後の吸収面積が８０ｃｍ2以下であるものが好ましく、５０ｃｍ2以下であるものが更に好ましい。吸収面積を８０ｃｍ2以下とすることにより、液の拡散を遅くすることができ、体液がフラップ吸収体３３及びウイング吸収体４３を過度に拡散して漏れることを防止できる。
【００４９】
フラップ吸収体３３の厚さは、好ましい剛性及び拡散性を得るために、２．５ｇ／ｍ2荷重下において０．２〜３ｍｍであることが好ましく、０．３〜２ｍｍであることが更に好ましい。
【００５０】
前述のフラップ吸収体３３の各種物性に関する説明は、ウイング吸収体４３の各種物性にも適宜適用される。
【００５１】
本体表面シート２１、ウイング表面シート４１及び本体裏面シート２２としては、それぞれ、この種の吸収性物品に従来用いられている各種材料を特に制限なく用いることができる。例えば、表面シートとしては、各種製法による不織布、樹脂フィルムに開孔を形成したもの、これらの積層体等を用いることができる。裏面シートとしては、透湿性を有するか又は有さない熱可塑性樹脂のフィルム、撥水性の不織布、これらの積層体等を用いることができる。
上層本体吸収体２３ａは、吸収性物品における吸収体として従来から用いられているものを特に制限なく用いることができる。上層本体吸収体２３ａは、嵩高で、液保持能が高いものが好ましい。
【００５２】
本実施形態の生理用ナプキン１は、後方フラップ３を吸収性本体２から延出した状態で折り返することなくショーツ等の下着に装着し、ウイング部４を下着のクロッチ部の外面側に折り返して用いられる。
【００５３】
詳細には、本実施形態の生理用ナプキン１は、吸収性本体２をショーツのクロッチ部の内面に配設し、後方フラップ３をショーツの内面に配設し、ウイング部４をクロッチ部の外面側に折り返して、吸収性本体２、後方フラップ３及びウイング部４をそれぞれ本体粘着部、フラップ粘着部及びウイング粘着部によりショーツの内面又は外面に止着することにより、位置ズレを防止しながら装着することができる。
【００５４】
そして、本実施形態の生理用ナプキン１においては、吸収性本体２の後方部Ｂから滲出した液や、吸収されずに流れる液を、後方フラップ３で効果的に吸収できるため、後方部Ｂからの液漏れ防止性に優れる。
同様に、吸収性本体２の前方部Ａから滲出した液や、吸収されずに流れる液を、ウイング部４で効果的に吸収できるため、前方部Ａからの液漏れ防止性に優れる。
【００５５】
本実施形態の生理用ナプキン１における後方フラップ３においては、フラップ吸収体３３と下層シート３２ｂとの間に、多数の隆起部３２ｃを有する上層シート３２ａが介在しているため、フラップ吸収体３３と下層シート３２ｂとの界面には、十分な大きさの空間が形成される。そのため、フラップ吸収体３３に吸収された体液は、フラップ吸収体３３と下層シート３２ｂとの界面に移動しても、十分な大きさの空間の存在により、毛管力が生じ難いと共に多数の隆起部３２ｃが抵抗となって、過度の拡散が抑制される。その結果、フラップ吸収体３３に吸収された体液は、後方フラップ３の周縁部から漏れにくい。
【００５６】
また、上層シート３２ａが多数の開孔部３２ｅを有し、開孔部３２ｅにおいてフラップ吸収体３３と接していること、及び下層シート３２ｂが通気性を有するシートから構成されていることによりフラップ防漏層３２における通気性に優れる。
【００５７】
更に、フラップ表面シート３１は、フラップ吸収体３３に向けて突出する多数の突出開孔３１ａを有しており、突出開孔３１ａによって、フラップ表面シート３１における突出開孔３１ａが設けられていない領域３１ｂとフラップ吸収体３３とが離間している。そのため、フラップ表面シート３１にも液の一時保持空間となるストック空間３４が形成され、フラップ吸収層（３１，３３）の液保持性が向上する。
【００５８】
また、フラップ表面シート３１は、突出開孔３１ａの他に突出開孔３１ａよりも開孔面積が小さい微小開孔３１ｇを多数有していることにより、フラップ表面シート３１のソフト感を一層向上させることができる。
【００５９】
本発明の吸収性物品は、前述した実施形態に制限されることなく、本発明の趣旨を逸脱しない限り適宜変更が可能である。
上層シート３２ａに設けられた隆起部３２ｃは、本実施形態においては開孔部３２ｅを有していたが、開孔部３２ｅを有していなくてもよい。
本実施形態においては、フラップ表面シート３１には突出開孔３１ａ及び微小開孔３１ｇが多数設けられていたが、これらは何れも設けられなくてもよい。
ウイング部４は設なくてもよい。またウイング部４を設けていた場合においても、ウイング部４にはウイング吸収体は設けられていなくてもよい。
【００６０】
上層本体吸収体２３ａは、本実施形態においては吸収性本体２の長手方向及び幅方向の中央寄りに設けられていたが、吸収性本体２の長手方向の後方まで延びていてもよい。更に、フラップ吸収体３３と下層本体吸収体２３ｂとを別体で形成し、フラップ吸収体３３の幅方向内方部を吸収性本体２の長手方向の後方まで延びた上層本体吸収体２３ａと下層本体吸収体２３ｂとの間に介在配置することができる。フラップ吸収体３３がこのように配置された場合には、上層本体吸収体２３ａにより形成された中高領域が安定的に維持され、着用者の股下部の後方に位置する臀部の隙間にフィットしやすくなる。
本体吸収体２３は、本実施形態においては上層本体吸収体２３ａと下層本体吸収体２３ｂとの積層体から構成されていたが、単層構造であってもよい。
【００６１】
本発明の吸収性物品は、生理用ナプキンに制限されず、例えば、パンティライナー（おりものシート）、失禁パッドにも適用することができる。本発明の吸収性物品が装着される下着は、ショーツに制限されない。
【図面の簡単な説明】
【００６２】
【図１】図１は、本発明の吸収性物品の一実施形態としての生理用ナプキンを示す斜視図である。
【図２】図２は、図１に示すII−II断面図である。
【図３】図３は、図１に示すIII−III断面図である。
【図４】図４は後部フラップの断面図である。
【図５】図５は、図４の部分拡大図である。
【図６】図６は、フラップ表面シートを示す斜視図である。
【符号の説明】
【００６３】
１  生理用ナプキン（吸収性物品）
２  吸収性本体
２１  本体表面シート
２２  本体裏面シート（本体防漏層）
２３  本体吸収体
２３ａ  上層本体吸収体
２３ｂ  下層本体吸収体
３  後方フラップ
３１  フラップ表面シート
３１ａ  突出開孔
３１ｂ  突出開孔が設けられていない領域
３１ｃ  フラップ吸収体に当接する部位
３１ｄ  ストック空間に向けて開いた部位
３１ｅ  畝部
３１ｆ  畝間部
３１ｇ  微小開孔
３２  フラップ裏面シート（フラップ防漏層）
３２ａ  上層シート
３２ｂ  下層シート
３２ｃ  隆起部
３２ｄ  隆起部が設けられていない領域
３２ｅ  開孔部
３３  フラップ吸収体
３４  ストック空間
４  ウイング部
４１  ウイング表面シート
４２  ウイング裏面シート
４３  ウイング吸収体
５  圧縮シール線
６  フラップ凸部
Ａ  前方部
Ｂ  後方部
【図１】
2008119048.tif 000003
【図２】
2008119048.tif 000004
【図３】
2008119048.tif 000005
【図４】
2008119048.tif 000006
【図５】
2008119048.tif 000007
【図６】
2008119048.tif 000008